(57)【特許請求の範囲】
【請求項１】
水と湯を混合する湯水混合部と、湯水混合部で混合された湯水を吐水する吐水部と、該吐水部からの吐水及び止水を行うための弁手段と、弁手段を開閉操作するためのレバーハンドルとを備えた湯水混合水栓装置であって、
レバーハンドルに上面側が押し下げ用操作部、下面側が押し上げ用操作部となった略板状をした操作部を設け、
該操作部は押し上げ・押し下げ操作のみが可能なように上下方向にのみ可動自在となり、レバーハンドルの操作部を上限まで上げた状態又は下限まで下げた状態の一方が全開吐水で他方が止水となり且つ操作部の上下方向における移動領域のうち上記全開位置と止水位置との間が流量調整域となり、
上記レバーハンドルは、上記操作部が上記弁手段の前方に突出して位置し且つこの操作部の回動の中心軸が上記操作部より後方に位置し、
上記湯水混合部における湯温調整を行うための湯温調整操作部を、上下方向に回動自在で上記レバーハンドルとは別体で設け、
上記湯温調整操作部の上記回動の中心軸と上記レバーハンドルの上記操作部の上記回動の上記中心軸とが同軸であり、
上記中心軸の軸方向に沿った上記湯温調整操作部と上記レバーハンドルの操作部との間に、ダミー操作部を介在して設けたことを特徴とする湯水混合水栓装置。
【請求項２】
レバーハンドルは一端部に略板状をした操作部を設けると共に他端部を湯水混合水栓装置に設けた弁手段を構成する回動弁に連結したものであって、操作部の上方又は下方の移動によりレバーハンドルを他端部を中心にして回動することで回動弁を回動するものであることを特徴とする請求項１記載の湯水混合水栓装置。
【発明の詳細な説明】
【技術分野】
【０００１】
本発明は、湯水混合水栓装置に関するものである。
【背景技術】
【０００２】
従来から、特許文献１等に示されるシングルレバー式の湯水混合水栓装置が知られている。
【０００３】
この特許文献１に示されるようなシングルレバー式の湯水混合水栓装置は、鉛直方向軸線を中心にレバーを横方向に回動することで、湯及び水の混合比を変化させて湯温調整を行い、また、レバーを水平方向軸線を中心に上下に回動することで湯水の吐水流量を変化させると共に、レバーを水平方向軸線を中心に上限まで回動した状態又は下限まで回動した状態のいずれかが全開で他方が止水となるように構成してある。
【０００４】
ところが、上記特許文献１に示された従来例にあっては、一つのレバーで湯温調整の操作と湯量調整及び吐水、止水の操作ができるようになっているので、吐水、止水や湯量の調整をするためレバーを上下方向に回動操作している時に、同時にレバーが不用意に横方向にも回動して湯温が変わってしまうことがあった。
【０００５】
また、湯水が設定された流量で吐水されている時に湯温調整をするためにレバーを横方向に回動操作する際、同時にレバーが不用意に上下方向にも回動し、吐水流量が変化してしまうことがあった。
【０００６】
この結果、従来のシングルレバー式の湯水混合水栓装置においては、既に設定してある湯温を保持したまま、レバーを操作して吐水、止水や湯量の調整操作を行おうとしている場合に、急に予想していない高温の湯水が吐水されたり、あるいは急に低温の湯水が吐水されたりするという問題があり、また、既に設定してある吐水量を保持したまま、レバーを操作して湯温のみの調整を行おうとしている場合、流量が急に多くなったり、あるいは、流量が急に少なくなったりするという問題があった。
【０００７】
この問題は、特に、シャンプーなどで髪を洗っている時や、洗顔している時のように、レバーを目でみることなく手探りで探し、レバーを操作して吐水、水や湯量の調整操作のみを行おうとしている場合、あるいは、レバーを操作して湯温のみの調整を行おうとしている場合には、レバーを目で見て操作していないだけに、誤操作しやすいという問題があった。
【０００８】
また、上記従来例におけるレバーは先端部の操作部が扁平な形状をしていて手で掴んで操作するようになっている。つまり、上記のように、レバーは上下方向、横方向に回動できるので、レバーを上下方向にのみ回動する際は、できるだけレバーが横方向に回動しないようにするために、レバー先端部の扁平な形状をした操作部を手でしっかり掴んで上下方向に回動操作する必要がある。また、レバーを横方向にのみ回動する際は、できるだけレバーが上下方向に回動しないようにするために、レバー先端部の扁平な形状をした操作部を手でしっかり掴んで横方向にのみ回動操作する必要がある。
【０００９】
したがって、吐水、水や湯量の調整操作のみを行う際に、レバーの先端部の操作部の上面部を単に手指で押し下げただけや、操作部の下面部を単に手指で押し上げただけでは、レバーが上下方向だけでなく横方向にも同時に不用意に回動してしまうので、急に湯温が変わってしまい、吐水、止水や湯量の調整操作のみの正しい操作ができず、このため、できるだけ正しい操作をおこなうにはレバーは先端部の操作部を手でしっかり掴んで操作する必要がある。
【００１０】
このため、上記従来例はレバーの操作性が悪いという問題がある。
【００１１】
また、上記従来例にあっては、一つのレバーで湯温調整と、湯水の開閉及び流量調整を行うようにしているので、湯水混合水栓装置の機構が複雑となり、コストが高くなる。
【００１２】
また、上記複数の吐水口を有する湯水混合水栓装置における各吐水口からの吐水の操作を行うための操作部として上記従来例のレバー機構のものを適用しようとすると、レバーが横方向に回動するため、レバーを横方向に並べようとすると、横方向に回動する隣合うレバー同士が互いに干渉して衝突しないようにするには、横方向に隣接するレバー間の間隔を大きく取らねばならず、湯水混合水栓装置全体が大きくなり、また、レバー同士が離れすぎるため、実用的ではない。
【特許文献１】特開２００７−１２０１１９号公報
【発明の開示】
【発明が解決しようとする課題】
【００１３】
本発明は上記の従来の問題点に鑑みて発明したものであって、湯温調整、流量調整ができるようにしたものにおいて、湯水の開閉及び流量調整操作中に誤って湯温が変更されることがないと共に、湯温調整操作中に誤って湯水の開閉や流量が変化することがなく、正確で安全な操作が簡単にできる湯水混合水栓装置を提供することを課題とするものである。
【課題を解決するための手段】
【００１４】
上記課題を解決するために本発明に係る湯水混合水栓装置は、水と湯を混合する湯水混合部１と、湯水混合部１で混合された湯水を吐水する吐水部２と、該吐水部２からの吐水及び止水を行うための弁手段７と、弁手段７を開閉操作するためのレバーハンドル３とを備えた湯水混合水栓装置６であって、レバーハンドル３に上面側が押し下げ用操作部４ａ、下面側が押し上げ用操作部４ｂとなった略板状をした操作部４を設け、該操作部４は押し上げ・押し下げ操作のみが可能なように上下方向にのみ可動自在となり、レバーハンドル３の操作部４を上限まで上げた状態又は下限まで下げた状態の一方が全開吐水で他方が止水となり且つ操作部４の上下方向における移動領域のうち上記全開位置Ａと止水位置Ｂとの間が流量調整域Ｃとなり、上記レバーハンドル３は、上記操作部４が上記弁手段７の前方に突出して位置し且つこの操作部４の回動の中心軸が上記操作部４より後方に位置し、上記湯水混合部１における湯温調整を行うための湯温調整操作部５を、上下方向に回動自在で上記レバーハンドル３とは別体で設け、上記湯温調整操作部５の上記回動の中心軸と上記レバーハンドル３の上記操作部４の上記回動の上記中心軸とが同軸であり、上記中心軸の軸方向に沿った上記湯温調整操作部５と上記レバーハンドル３の操作部４との間に、ダミー操作部３３を介在して設けたことを特徴とするものである。
【００１５】
このような構成とすることで、レバーハンドル３の操作部４を上下方向に可動させる操作を行うことで、レバーハンドル３とは別体の湯温調整操作部５で設定した湯温を維持した状態で吐水部２からの湯水の吐水、止水及び吐水量の調整を行うことができ、この場合、湯温調整を行う湯温調整部５がレバーハンドル３とは別体であるため、レバーハンドル５の操作中に誤って吐水部２から吐水する湯水の温度が変化せず、所定の湯温を維持したままで、湯水の開閉及び流量調整をレバーハンドル５の操作のみで行うことができ、また、湯温調整操作部５がレバーハンドル３とは別体であり、湯温調整操作部５とレバーハンドル３の操作部４との間に、ダミー操作部３３を介在して設けてあるため、湯温調整操作部５を操作して湯温調整をする際、誤ってレバーハンドル３を操作することがなく、湯温調整操作中に誤って湯水の開閉や流量が変化しない。
【００１６】
また、レバーハンドル５の操作を行うに当たって、操作部４は押し上げ・押し下げ操作のみが可能なように上下方向にのみ可動自在となっているので、操作部４の上面部である押下げ用操作部４ａに手指を当てて押し下げ操作をしたり、操作部４の下面部である押上げ用操作部４ｂに手指を当てて押し上げ操作をしたりすることで、簡単に操作部４を上下方向にのみ可動させて、湯水の開閉（吐水、止水）及び流量（吐水量）調整ができる。この時、押下げ用操作部４ａや押上げ用操作部４ｂに対する手指による押し下げ方向、押し上げ方向が垂直な場合はもちろん、垂直に対して多少傾斜していても（多少斜め下方に押し下げたり、多少斜め上方に押し上げたりしても）、操作部４を上下方向に可動させる操作ができ、このことと、上面部が押下げ用操作部４ａとなり且つ下面部が押上げ用操作部４ｂとなった操作部４が略板状をしていることにより、操作部４の上面部又は下面部に手指を当てて押し下げ操作又は押し上げ操作するという簡単な操作で開、閉、流量調整ができ、シャンプーなどで髪を洗っているときや、洗顔している時のように、手探りでレバーハンドル５の操作部４を探して操作しなければならならないような時でも、手探りで略板状の操作部４を探して操作部４の押し下げ用操作部４ａや押し上げ用操作部４ｂに手指を添えて押し下げ操作したり、押し上げ操作したりするだけで、手指による押し下げ方向や押し上げ方向が多少垂直に対して傾いていても、簡単且つ確実に、湯水の吐水、止水及び流量調整が行える。
【００１７】
また、湯水混合水栓装置６に複数の吐水口２を設けた場合であっても、各吐水部２からの湯水の吐水、止水及び吐水量の調整を行うためのレバーハンドル３の操作部４が上下方向にのみ可動自在であるので、複数のレバーハンドル３を横方向に近づけて並設することも可能で、この場合は湯水混合水栓装置６全体の小型化が可能となる。
【００１８】
また、レバーハンドル３は一端部に略板状をした操作部４を設けると共に他端部を湯水混合水栓装置６に設けた回動弁２３に連結したものであって、操作部４の上方又は下方の移動によりレバーハンドル３を他端部を中心にして回動することで回動弁２３を回動するものであることが好ましい。
【００１９】
これにより、レバーハンドル３を他端部を中心に回動することで、レバーハンドル３の他端部に連結した弁手段７を構成する回動弁２３を回動することができ、簡単な構成で、レバーハンドル３の一端部の操作部４を上方又は下方に移動させるという上下方向の操作をするのみで湯水の吐水、止水及び吐水量の調整が行える。
【発明の効果】
【００２０】
本発明の請求項１記載の発明にあっては、上記のように構成したので、レバーハンドルの略板状の操作部を押し上げ操作又は押し下げ操作するという簡単な操作で、別体の湯温調整操作部で設定した湯温を維持した状態で湯水の吐水、止水ができるだけでなく、吐水量の調整を同時に行うことができ、しかも、このように吐水、止水及び吐水量の調整を行う際に、あやまって湯温が変化して吐水するというおそれがなく、また、湯温調整操作中に誤って湯水の開閉や流量が変化するおそれがなく、誤操作を防止できる。また、シャンプーなどで髪を洗っているときや、洗顔している時、手探りでレバーハンドルの操作を行うに当たり、手探りでレバーハンドルの操作部を探して、該操作部に手を添えて押し下げ操作部を押し下げ操作したり、押し上げ用操作部を押し上げ操作したりするだけで、別体の湯温調整操作部で設定した湯温を維持した状態のまま簡単且つ確実に、湯水の吐水、止水及び吐水量の調整が行える。
【００２１】
また、請求項２記載の発明にあっては、上記請求項１記載の効果に加えて、レバーハンドルの一端部の操作部を上方又は下方に移動させるという上下方向の操作をするのみで湯水の吐水、止水及び吐水量の調整を行う機構を簡単に構成することができ、湯水混合水栓装置の機構を簡略化できる。
【発明を実施するための最良の形態】
【００２２】
以下、本発明を添付図面に示す実施形態に基いて説明する。
【００２３】
図１乃至図５には本発明の一実施形態が示してある。
【００２４】
本実施形態の湯水混合水栓装置６は、基体１０に、湯水混合部１と、弁機構部９と、カバー部１１を取付けて主体が構成してある。
【００２５】
湯水混合部１は、外郭を構成する筒部１３の外周部の軸方向に水流入部１４と湯流入部１５を並設して設けると共に湯水流出部１６を設け、更に、筒部１３内に水流入部１４から流入する水と、湯流入部１５から流入する湯の混合割合を変えて湯水混合を行うための筒部１３内に軸方向に移動自在に内装した湯水混合調整手段１７と、筒部１３の開口側端部に回動自在に取付けた湯温調整操作部５を構成する湯温調整用レバーハンドル１８とを備えることで一つのユニットとして構成してあり、湯温調整用レバーハンドル１８を回動することで、湯水混合調整手段１７を移動して、水と湯の混合割合を変えて設定された湯温となるよう調整できるようになっている。
【００２６】
湯温調整用レバーハンドル１８は湯水混合調整手段１７に連結する連結部１８ａと該連結部１８ａの前部から前方に突出する湯温調整用の操作部１９を突設することで構成してあり、該湯温調整用の操作部１９は、筒部１３の前部よりも前方に突出し且つ連結部１８ａの横方向（軸方向）の全長にわたって設けてある。この湯温調整用の操作部１９は略平板状をしていて、上面部が湯水混合用の押し下げ用の操作部１９ａ、下側が湯水混合用の押し上げ用の操作部１９ｂとなっている。
【００２７】
弁機構部９は、外郭を構成する筒体部２０の軸方向の端部に設けた流入孔部２１と、筒体部２０の軸方向の略中間部に設けた流出孔２２と、筒体部２０内に回動自在に嵌め込んだ１つの弁手段７を構成する回動弁２３と、該回動弁２３の端部に連結されて回動弁２３を回動操作するための１つのレバーハンドル３とを備えることで一つのユニットとして構成してある。
【００２８】
回動弁２３は軸方向の一端部が開口部２４となり且つ他端部が閉塞された回動筒２５の外周部に孔２６を設けて構成してあり、この回動弁２３を筒体部２０内に嵌め込んであり、開口部２４は筒体部２０内の軸方向の一端部を介して流入孔部２１と連通しており、回動弁２３を回動することで、流出孔２２と各孔２６とを連通したり、非連通とすることで、回動弁２３の開閉及び連通の度合い（つまり開量）の調整を行って流量調整することができるようになっている。流出孔２２には吐水部２が連通接続される。
【００２９】
筒体部２０内にそれぞれ回動自在に嵌め込んだ回動弁２３の開口部２４と反対側の軸方向の端部にはレバーハンドル３の後端部の取付け部２７がそれぞれ筒体部２０の軸方向の端面に沿うように取付けてあり、この筒体部２０の端面に沿うように回動弁２３の端部に取付けたレバーハンドル３の前部が筒体部２０の前面よりも前方に突出形成してあって操作部４となっている。
【００３０】
取付け部２７の前端部から筒体部２０の前面よりも前方に突出するように形成した操作部４は、取付け部２７の前端部の軸方向の外側端部から筒体部２０の軸方向の他端部（取付け部２７が沿っていない方の端部）まで至る横長さとなっており、レバーハンドル３の前部に設けた操作部４の後端部により筒体部２０の前面が覆われるようになっている。操作部４は後端部を除く大部分が略平板状をしていて、上面部が押し下げ用の操作部４ａ、下面部が押し上げ用の操作部４ｂとなっており、この操作部４の後端部が筒体部２０の外周部前面に沿って筒体部２０の前面の軸方向の片側半部を覆うための断面弧状をした覆い部２８となっており、この覆い部２８によりカバー部２３の前面開口部３１を覆うようになっている。
【００３１】
操作部４は上方への押し上げ・下方への押し下げ操作のみが可能なように上下方向にのみ可動自在となり、レバーハンドル３はそれぞれ操作部４を上に上げた状態又は下に下げた状態の一方が対応する弁手段７である回動弁２３を開（つまり回動弁２３の孔２６と流出孔２２とが連通する状態）となり、他方が閉（つまり回動弁２３の孔２６と流出孔２２とが非連通となる状態）となっている。そして、操作部４の上記開位置Ａと閉位置Ｂとの間が該当する吐水部２から吐水する湯水の流量を調整する流量調整域Ｃとなっている。
【００３２】
レバーハンドル３の操作部４は、湯温調整用レバーハンドル１８の湯温調整用の操作部１９とその断面形状が同じ又はほぼ同じ形状をしている。
【００３３】
上記のようにユニット化された湯水混合部１と、ユニット化された弁機構部９とをそれぞれ基体１０にねじ具２９により固着することで取付けてある。
【００３４】
ここで、図２に示すように、ユニット化された湯水混合部１の筒部１３の中心軸と、ユニット化された弁機構部９の筒体部２０の中心軸とが同軸となり且つユニット化された湯水混合部１とユニット化された弁機構部９とが同軸上に隣接するように基体１０に取付けられる。
【００３５】
この場合、ユニット化された弁機構部９の筒体部２０の一側面に一方のレバーハンドル３を介して湯水混合部１の筒部１３の湯温調整用レバーハンドル１８を設けていない方の側端面を隣接配置されるものである。
【００３６】
また、湯水流出部１６と流入孔部２１とが接続管３４で連通接続される。
【００３７】
更に、水流入部１４に給水用接続管１４ａを接続すると共に湯流入部１５に給湯用接続管１５ａを接続し、更にまた、流出孔２２に流出管４５ａを接続する。流出管４５ａは先端部がそのまま吐水部２（カラン吐水部２ａ）となっていて流出孔２２の真下に配設してあって、下方に吐水するようになっている。もちろん、流出管４５ａにシャワーホースを接続してシャワーホースの先端部に吐水部２としてもシャワー吐水部を設けたものであってもよい。
【００３８】
基体１０には更にカバー部１１が取付けられ、カバー部１１により弁機構部９の筒体部２０、レバーハンドル３の後端部の取付け部２７、湯水混合部１の筒部１３を覆うようになっている。
【００３９】
カバー部１１には前面部に前面開口部３１が設けてあり、この前面開口部３１からレバーハンドル３の前部に設けた各操作部４が前方に向けて突出し、前方に向けて突出した各操作部４は上方に押し上げ操作したり、下方に押し下げ操作したりすることができるように上下方向に移動自在となっており、各操作部４を上方向に押し上げたり、下方向に押し下げたりすることで、レバーハンドル３を筒体部２０の軸芯を中心にして回動自在となっている。操作部４を押し上げたり、押し下げたりすることによるレバーハンドル３の回動角度は特に限定はないが、一例を挙げると４５°の回動範囲とする。
【００４０】
レバーハンドル３の操作部４の後端に設けた覆い部２８によりカバー部１１の前面開口部３１を遮蔽するようになっており、これにより、レバーハンドル３を回動しても筒体部２０の前面が外部に露出することなく覆い部２８により覆われるようになっている。この結果、覆い部２８が筒体部２０の一部（前部）を覆う断熱カバーの役目を兼用し、カバー部１１による断熱のために覆う面積を少なくしてカバー部１１の材料を少なくできる。
【００４１】
したがって、筒体部２０、操作部４の取付け部２７はカバー部１１及び覆い部２８に覆われて、この部分が施工状態において外部に露出しないようになっている。
【００４２】
また、カバー部１１は湯水混合部１の筒部１３を覆って筒部１３が施工状態において外部に露出しないようになっており、更に、このカバー部１１の湯水混合部１を覆っている部分の前面部から前方に向けて一体に略平板状をしたダミー操作部３３が突出してある。
【００４３】
ここで、ダミー操作部３３の断面形状は、前述の操作部４、湯温調整用の操作部１９とその断面形状が同じ又はほぼ同じ形状をしているがカバー部１１から一体に突出しているため押し下げ力、押し上げ力が作用してもカバー部１１に対して動くことはない。
【００４４】
また、ダミー操作部３３の横方向の長さは筒部１３の軸方向の長さと同じ又はほぼ同じ長さとなっており、該ダミー操作部３３が、前述の湯温調整用レバーハンドル１８の湯温調整用の操作部１９と、レバーハンドル３の操作部４との間に介在してある。このようにレバーハンドル３の操作部４と、湯温調整用レバーハンドル１８の湯温調整用の操作部１９との間にダミー操作部３３を介在させることで、操作部４の操作の際に誤って湯温調整用の操作部１９を操作したり、あるいは、湯温調整用の操作部１９を操作する際に誤って操作部４を操作することがないように、ダミー操作部３３が両者の仕切りの役目をする。
【００４５】
レバーハンドル３の操作部４は、操作部４が閉位置Ｂとなった状態で上面がダミー操作部３３の上面と面一となるように設定してある。なお、図１乃至図５に示す実施形態では各操作部４を下方に最大に押し下げた位置（最下端位置、図３、４で実線で示す位置）が閉位置Ｂで、各操作部４を最大に押し上げた位置（最上端位置、図３、４で二点鎖線で示す位置）が全開位置Ａとなっている。
【００４６】
また、湯温調整用レバーハンドル１８の湯温調整用の操作部１９は、湯温調整用の操作部１９の上面が上記ダミー操作部３３の上面と面一となった位置がちょうど湯温略４０℃となるように設定してある。したがって、湯温調整用レバーハンドル１８の湯温調整用の操作部１９が湯温調整用レバーハンドル１８の湯温調整用の操作部１９の上面とダミー操作部３３の上面とが面一又は略面一となっているか、否かを見るだけで、一目で通常の使用における最も平均的な使用湯温である湯温略４０℃であるか、否かが理解できる。また、この、湯温調整用レバーハンドル１８の湯温調整用の操作部１９がダミー操作部３３と面一となるようにするだけで、簡単に湯温を略４０℃に設定することができるようになっている。
【００４７】
そして、湯温調整用の操作部１９がダミー操作部３３と面一となっている状態から上面部の湯水混合用の押し下げ用の操作部１９ａを押し下げ操作したり、あるいは下面部の湯水混合用の押し上げ用の操作部１９ｂを押し上げ操作することで、湯温調整用レバーハンドル１８を湯水混合部１の筒部１３の中心軸を中心にして回動して、略４０℃より湯温を高くなるように調整したり、略４０℃より湯温を低くなるように調整することができる。
【００４８】
上記のような構成の湯水混合水栓装置６は、給水用接続管１４ａに水道管を接続し、給湯用接続管１５ａに給湯管を接続する。
【００４９】
上記のような湯水混合水栓装置６の使用に当たって、吐水部２の吐水、止水をする場合は、レバーハンドル３の操作部４を押し上げ操作、押し下げ操作することにより行う。
【００５０】
そして、本発明においては、操作部４が押し下げ操作と押し上げ操作が反対方向の操作であるため、手探りであっても操作部４に手を添えて押し上げ操作又は押し下げ操作をすることで直接目で確認しなくても誤り無く操作ができ、このように、操作部４は押し上げ操作と押し下げ操作とで開閉が決まっているので、シャンプーなどで髪を洗っているときや、洗顔している時のように、湯水混合水栓装置６を目で見ることなく、手探りでレバーハンドル３の操作部４を探して、操作する場合でも誤操作することがない。
【００５１】
また、レバーハンドル３の操作部４の押し上げ操作、押し下げ操作により吐水部２からの吐水、止水を行うのであるが、操作部４の上下方向への移動量を調整することで吐水部２から吐水する湯水の流量を同時に調整することができる。
【００５２】
したがって、本発明においては、吐水部２に対応して、別部材としての流量調整弁とこれを操作するための操作部とを必要とせず、湯水混合水栓装置６の小型化、部品点数の削減が可能となる。また、操作部４の上下方向の移動のみで対応する吐水部２からの吐水、止水と流量調整とが同時にできるので、操作性が向上する。
【００５３】
しかも、上記レバーハンドル３が湯温調整用レバーハンドル１８と別体なので、レバーハンドル３をそれぞれ独立して操作する際、レバーハンドル３を操作する際も誤って湯温が変えられて高温の湯や低温の水が吐出する恐れがない。
【００５４】
また、図１乃至図５に示す実施形態では操作部４を下方に最大に押し下げた位置（最下端位置）が閉位置Ｂで、操作部４を最大に押し上げた位置（最上端位置）が全開位置Ａとしてあるので、誤って、操作部４に個別にあるいは同時に物が当たったりして上方から押し下げ力が作用しても、吐水部２から不意に吐水がするという恐れがない。また、この実施形態においては、閉位置Ｂがほぼ水平となっていてほぼ水平姿勢のダミー操作部３３と面一又はほぼ面一となっており、この場合は、湯水混合水栓装置６の下方の空間を広く使え、特に、カラン吐水部２ａ側の吐水空間が広く且つ見やすくなり、操作部４を上方に押し上げてカラン吐水部２ａから吐水させ、このカラン吐水部２ａから吐水される湯水を使用する際に操作部４が邪魔にならならず、カラン吐水部２ａの使用が便利となる。
【００５５】
もちろん、本発明の湯水混合水栓装置６において、図６に示す実施形態のように、操作部４を下方に最大に押し下げた位置（最下端位置）が全開位置Ａで、各操作部４を最大に押し上げた位置（最上端位置）が閉位置Ｂとしてもよいものである。この場合は、例えば、閉位置Ｂがほぼ水平となっていてほぼ水平姿勢のダミー操作部３３と面一又はほぼ面一となっていると、湯水混合水栓装置６の上方の空間に操作部４が突出せず、この部分を操作部４に邪魔されず、別の用途に使用したり、広い空間として利用できる。
【００５６】
次に、図７乃至図１０に基づいて本発明の他の実施形態を説明する。なお、本実施形態における湯水混合水栓装置６の左側面図は前述の図１乃至図５に示す実施形態の図５と同様である。
【００５７】
上記実施形態においては、湯水混合部１で混合された湯水を吐水する吐水部２を１つ、レバーハンドル３を１つ備えた湯水混合水栓装置６を示したが、本実施形態における湯水混合水栓装置６は、湯水混合部１と、湯水混合部１で混合された湯水を吐水する複数の吐水部２と、複数の吐水部２からの吐水及び止水を行うための複数の弁手段７と、各弁手段７をそれぞれ独立して開閉操作するための複数のレバーハンドル３とを備えている。
【００５８】
本実施形態の湯水混合水栓装置６は前述の実施形態と同様に、基体１０に、湯水混合部１と、弁機構部９と、カバー部１１を取付けて主体が構成してある。
【００５９】
湯水混合部１は、外郭を構成する筒部１３の外周部の軸方向に水流入部１４と湯流入部１５を並設して設けると共に湯水流出部１６を設け、更に、筒部１３内に水流入部１４から流入する水と、湯流入部１５から流入する湯の混合割合を変えて湯水混合を行うための筒部１３内に軸方向に移動自在に内装した湯水混合調整手段１７と、筒部１３の開口側端部に回動自在に取付けた湯温調整操作部５を構成する湯温調整用レバーハンドル１８とを備えることで一つのユニットとして構成してあり、湯温調整用レバーハンドル１８を回動することで、湯水混合調整手段１７が移動して、水と湯の混合割合を変えて設定された湯温となるよう調整できるようになっている。
【００６０】
湯温調整用レバーハンドル１８は湯水混合調整手段１７に連結する連結部１８ａと該連結部１８ａの前部から前方に突出する湯温調整用の操作部１９を突設することで構成してあり、該湯温調整用の操作部１９は、筒部１３の前部よりも前方に突出し且つ連結部１８ａの横方向（軸方向）の全長にわたって設けてある。この湯温調整用の操作部１９は略平板状をしていて、上面部が湯水混合用の押し下げ用の操作部１９ａ、下側が湯水混合用の押し上げ用の操作部１９ｂとなっている。
【００６１】
弁機構部９は、外郭を構成する筒体部２０の軸方向の中間部に設けた流入孔部２１と、筒体部２０の軸方向における一方の片側半部及び他方の片側半部にそれぞれ設けた２つの流出孔２２（２２ａ、２２ｂ）と、筒体部２０内の軸方向の一方の片側半部及び他方の片側半部にそれぞれ独立して回動自在に嵌め込んだ２つの弁手段７を構成する回動弁２３（２３ａ、２３ｂ）と、両回動弁２３の端部に連結されて各回動弁２３を回動操作するための２つのレバーハンドル３とを備えることで一つのユニットとして構成してある。
【００６２】
各回動弁２３はそれぞれ軸方向の一端部が開口部２４となり且つ他端部が閉塞された回動筒２５の外周部に孔２６を設けて構成してあり、筒体部２０内の軸方向の中間部を介して両回動弁２３の開口部２４が互いに向き合うように筒体部２０内にはめ込んであり、両開口部２４は筒体部２０内の軸方向の中間部を介して流入孔部２１と連通しており、また、各回動弁２３をそれぞれ独立して回動することで、２つの流出孔２２（２２ａ、２２ｂ）と各孔２６とを連通したり、非連通とすることで、各回動弁２３の開閉及び連通の度合い（つまり開量）の調整を行って流量調整を行うことができるようになっている。２つの流出孔２２には後述のようにそれぞれ吐水部２が連通接続される。なお、回動弁２３の例で説明しているが、他にもパッキン式弁体、セラミック式摺動弁など吐水、止水機能を有する弁体であれば適用できる。
【００６３】
筒体部２０内にそれぞれ回動自在に嵌め込んだ各回動弁２３の開口部２４と反対側の軸方向の端部には各レバーハンドル３の後端部の取付け部２７がそれぞれ筒体部２０の軸方向の両側端面に沿うように取付けてあり、この筒体部２０の両側端面に沿うように両回動弁２３の端部に取付けた２個のレバーハンドル３の前部が筒体部２０の前面よりも前方に突出形成してあって操作部４となっている。
【００６４】
本実施形態では図８に示すように、取付け部２７の前端部から筒体部２０の前面よりも前方に突出するように形成した操作部４は、取付け部２７の前端部の軸方向の外側端部から筒体部２０の軸方向の中間部分まで至る横長さとなっており、両側のレバーハンドル３の前部に設けた両操作部４の後端部により筒体部２０の前面が覆われるようになっている。各操作部４は後端部を除く大部分が略平板状をしていて、上面部が押し下げ用の操作部４ａ、下面部が押し上げ用の操作部４ｂとなっており、この操作部４の後端部が筒体部２０の外周部前面に沿って筒体部２０の前面の軸方向の片側半部を覆うための断面弧状をした覆い部２８となっている。
【００６５】
各操作部４は上方への押し上げ・下方への押し下げ操作のみが可能なように上下方向にのみ可動自在となり、各レバーハンドル３はそれぞれ操作部４を上に上げた状態又は下に下げた状態の一方が対応する弁手段７である回動弁２３を開（つまり一方の回動弁２３の孔２６と一方の流出孔２２ａとが連通する状態、又は、他方の回動弁２３の孔２６と他方の流出孔２２ｂとが連通する状態）となり、他方が閉（つまり一方の回動弁２３の孔２６と一方の流出孔２２ａとが非連通となる状態、又は、他方の回動弁２３の孔２６と他方の流出孔２２ｂとが非連通となる状態）となっている。そして、各操作部４の上記開位置Ａと閉位置Ｂとの間が該当する吐水部２から吐水する湯水の流量を調整する流量調整域Ｃとなっている。
【００６６】
レバーハンドル３の操作部４は、湯温調整用レバーハンドル１８の湯温調整用の操作部１９とその断面形状が同じ又はほぼ同じ形状をしている。
【００６７】
上記のようにユニット化された湯水混合部１と、ユニット化された弁機構部９とをそれぞれ基体１０にねじ具２９により固着することで取付けてある。
【００６８】
ここで、図８に示すように、ユニット化された湯水混合部１の筒部１３の中心軸と、ユニット化された弁機構部９の筒体部２０の中心軸とが同軸となり且つユニット化された湯水混合部１とユニット化された弁機構部９とが同軸上に隣接するように基体１０に取付けられる。
【００６９】
この場合、ユニット化された弁機構部９の筒体部２０の一側面に一方のレバーハンドル３を介して湯水混合部１の筒部１３の湯温調整用レバーハンドル１８を設けていない方の側端面を隣接配置されるものである。
【００７０】
また、湯水流出部１６と流入孔部２１とが接続管３４で連通接続される。
【００７１】
更に、水流入部１４に給水用接続管１４ａを接続すると共に湯流入部１５に給湯用接続管１５ａを接続し、更にまた、２つの流出孔２２（２２ａ、２２ｂ）にそれぞれ流出管４５ａ、４５ｂを接続する。流出管４５ａ、４５ｂのうち一方、図９、図１０においては流出管４５ａは先端部がそのまま吐水部２（カラン吐水部２ａ）となっていて、一方の流出孔２２ａの真下に配設してあって、下方に吐水するようになっている。
【００７２】
基体１０には更にカバー部１１が取付けられ、カバー部１１により弁機構部９の筒体部２０、両レバーハンドル３の後端部の取付け部２７、湯水混合部１の筒部１３の筒部１３を覆うようになっている。
【００７３】
カバー部１１には前面部に前面開口部３１が設けてあり、この前面開口部３１から両レバーハンドル３の前部に設けた各操作部４が前方に向けて突出し、前方に向けて突出した各操作部４は上方に押し上げ操作したり、下方に押し下げ操作したりすることができるように上下方向に移動自在となっており、各操作部４を上方向に押し上げたり、下方向に押し下げたりすることで、各レバーハンドル３を筒体部２０の軸芯を中心にして回動自在となっている。操作部４を押し上げたり、押し下げたりすることによるレバーハンドル３の回動角度は特に限定はないが、一例を挙げると４５°の回動範囲とする。
【００７４】
各レバーハンドル３の操作部４の後端に設けた覆い部２８によりカバー部１１の前面開口部３１を遮蔽するようになっており、これにより、レバーハンドル３を回動しても筒体部２０の前面が外部に露出することなく覆い部２８により覆われるようになっている。この結果、覆い部２８が筒体部２０の一部（前部）を覆う断熱カバーの役目を兼用し、カバー部１１による断熱のために覆う面積を少なくしてカバー部１１の材料を少なくできる。
【００７５】
したがって、筒体部２０、操作部４の取付け部２７はカバー部１１及び覆い部２８に覆われて、この部分が施工状態において外部に露出しないようになっている。
【００７６】
また、カバー部１１は湯水混合部１の筒部１３を覆って筒部１３が施工状態において外部に露出しないようになっており、更に、このカバー部１１の湯水混合部１を覆っている部分の前面部から前方に向けて一体に略平板状をしたダミー操作部３３が突出してある。
【００７７】
ここで、ダミー操作部３３の断面形状は、前述の操作部４、湯温調整用の操作部１９とその断面形状が同じ又はほぼ同じ形状をしているがカバー部１１から一体に突出しているため押し下げ力、押し上げ力が作用してもカバー部１１に対して動くことはない。
【００７８】
また、ダミー操作部３３の横方向の長さは筒部１３の軸方向の長さと同じ又はほぼ同じ長さとなっており、該ダミー操作部３３が、前述の湯温調整用レバーハンドル１８の湯温調整用の操作部１９と、２つの隣接するレバーハンドル３の各操作部４のうち一方の操作部４ａとの間に介在してある。このようにレバーハンドル３の操作部４と、湯温調整用レバーハンドル１８の湯温調整用の操作部１９との間にダミー操作部３３を介在させることで、操作部４の操作の際に誤って湯温調整用の操作部１９を操作したり、あるいは、湯温調整用の操作部１９を操作する際に誤って操作部４を操作することがないように、ダミー操作部３３が両者の仕切りの役目をする。
【００７９】
両レバーハンドル３の操作部４は、各操作部４が閉位置Ｂとなった状態で互いに上面が面一となり、更に、この操作部４が閉位置Ｂの状態で上面がダミー操作部３３の上面と面一となるように設定してある。なお、本実施形態においては各操作部４を下方に最大に押し下げた位置（最下端位置、図９、１０で実線で示す位置）が閉位置Ｂで、各操作部４を最大に押し上げた位置（最上端位置、図９、１０で二点鎖線で示す位置）が全開位置Ａとなっている。
【００８０】
また、湯温調整用レバーハンドル１８の湯温調整用の操作部１９は、湯温調整用の操作部１９の上面が上記ダミー操作部３３の上面と面一となった位置がちょうど湯温略４０℃となるように設定してある。したがって、湯温調整用レバーハンドル１８の湯温調整用の操作部１９が湯温調整用レバーハンドル１８の湯温調整用の操作部１９の上面とダミー操作部３３の上面とが面一又は略面一となっているか、否かを見るだけで、一目で通常の使用における最も平均的な使用湯温である湯温略４０℃であるか、否かが理解できる。また、この、湯温調整用レバーハンドル１８の湯温調整用の操作部１９がダミー操作部３３と面一となるようにするだけで、簡単に湯温を略４０℃に設定することができるようになっている。
【００８１】
そして、湯温調整用の操作部１９がダミー操作部３３と面一となっている状態から上面部の湯水混合用の押し下げ用の操作部１９ａを押し下げ操作したり、あるいは下面部の湯水混合用の押し上げ用の操作部１９ｂを押し上げ操作することで、湯温調整用レバーハンドル１８を湯水混合部１の筒部１３の中心軸を中心にして回動して、略４０℃より湯温を高くなるように調整したり、略４０℃より湯温を低くなるように調整することができる。
【００８２】
上記のような構成の湯水混合水栓装置６は、給水用接続管１４ａに水道管を接続し、給湯用接続管１５ａに給湯管を接続する。
【００８３】
また、本実施形態の湯水混合水栓装置６は、浴室や洗面化粧台などに設定する例を示しており、他方の流出管４５ｂにはシャワーホース３５の一端が接続され、該シャワーホース３５の他端のシャワーヘッド３６が他方の吐水部２（シャワー吐水部２ｂ）となっている。
【００８４】
上記のように施工された湯水混合水栓装置６の使用に当たって、カラン吐水部２ａの吐水、止水をする場合は、一方のレバーハンドル３の操作部４を押し上げ操作、押し下げ操作することにより行い、また、シャワー吐水部２ｂの吐水、止水をする場合は、他方のレバーハンドル３の操作部４を押し上げ操作、押し下げ操作することにより行う。そして、これらの各レバーハンドル３の操作部４の押し上げ操作、押し下げ操作はそれぞれ独立して行うことができ、また、両操作部４を同時に押し上げ操作したり、あるいは押し下げ操作することができる。したがって、カラン吐水部２ａ、シャワー吐水部２ｂの両方が止水状態において、カラン吐水部２ａ、シャワー吐水部２ｂのいずれか一方からのみ吐水、あるいは、カラン吐水部２ａ、シャワー吐水部２ｂの両方を同時に吐水という操作が簡単にできる。また、カラン吐水部２ａ、シャワー吐水部２ｂの両方が吐水状態において、カラン吐水部２ａ、シャワー吐水部２ｂのいずれか一方のみの止水、あるいは、カラン吐水部２ａ、シャワー吐水部２ｂの両方を同時に止水という操作が簡単にできる。
【００８５】
そして、本実施形態においては、各操作部４がいずれも押し下げ操作と押し上げ操作が反対方向の操作であるため、手探りであっても操作部４に手を添えて押し上げ操作又は押し下げ操作をすることで直接目で確認しなくても誤り無く操作ができ、このように、各操作部はいずれも押し上げ操作と押し下げ操作とで開閉が決まっているので、シャンプーなどで髪を洗っているときや、洗顔している時のように、湯水混合水栓装置６を目で見ることなく、手探りでレバーハンドル３の操作部４を探して、操作する場合でも誤操作することがない。
【００８６】
例えば、シャワー吐水部２ｂが止水で且つカラン吐水部２ａが吐水の状態で、石鹸などで洗顔している時、カラン吐水部２ａを止水にしようとして、手探りで、カラン吐水部２ａ用の操作部４（カラン用の操作部）を探して止水操作をする際、誤ってシャワー用の操作部４を止水側に操作しようとしても、シャワー吐水部２ｂは既に止水となっているので、シャワー吐水部２ｂから突然吐水されるというようなおそれがない。
【００８７】
また、シャワー吐水部２ｂが吐水で且つカラン吐水部２ａが止水の状態で、シャンプーなどで洗髪している時、シャワー吐水部２ｂを止水にしようとして、手探りで、シャワー吐水部２ｂ用のシャワー用の操作部４を止水側に操作する際、誤ってカラン用の操作部４を止水側に操作しようとしても、既に止水しているため、カラン吐水部２ａから突然吐水されるというようなおそれがない。
【００８８】
したがって、複数の操作部４を手探りで探して操作する際に、上記のような誤操作をしても、操作部４の操作方向さえ間違っていなければ、手探りであっても予期していない吐水部２から突然吐水されるというような事態が生じることがなく、安心して洗顔や洗髪ができる。
【００８９】
また、例えば、２つの吐水部２のうち、いずれか一方から湯水を吐水したまま放置して止水するのを忘れていたような時、一方の吐水部２から湯水が吐水しているのに気付き、あわてて一方の吐水部２側の操作部４を止水側に操作しようとする場合、あわてているので、誤って別の吐水部２の操作部４を止水側に操作しても、別の吐水部２から突然吐水されるというような事態が生じることがない。
【００９０】
上記のように、各レバーハンドル３の操作部４の押し上げ操作、押し下げ操作により対向する各吐水部２からの吐水、止水を行うのであるが、各操作部４の上下方向への移動量を調整することで対応する各吐水部２から吐水する湯水の流量を同時に調整することができる。
【００９１】
したがって、本発明においては、複数の吐水部２に対応して、別部材としての複数の流量調整弁とこれを操作するための複数の操作部とを必要とせず、湯水混合水栓装置６の小型化、部品点数の削減が可能となる。また、各操作部４の上下方向の移動のみで対応する吐水部２からの吐水、止水と流量調整とが同時にできるので、操作性が向上する。
【００９２】
しかも、上記複数のレバーハンドル３が湯温調整用レバーハンドル１８と別体なので、複数のレバーハンドル３をそれぞれ独立して操作する際、いずれのレバーハンドル３を操作する際も誤って湯温が変えられて高温の湯や低温の水が吐出する恐れがない。
【００９３】
また、複数の操作部４を設けた本施形態では各操作部４を下方に最大に押し下げた位置（最下端位置）がいずれも閉位置Ｂで、各操作部４を最大に押し上げた位置（最上端位置）がいずれも全開位置Ａとしてあるので、誤って、各操作部４に個別にあるいは同時に物が当たったりして上方から押し下げ力が作用しても、操作部４は元々閉位置にいるか、又は開位置にいても下方に押し下げられて閉位置となるので、複数の吐水部２から不意に吐水がするという恐れがない。また、この実施形態においては、閉位置Ｂがほぼ水平となっていてほぼ水平姿勢のダミー操作部３３と面一又はほぼ面一となっており、この場合は、湯水混合水栓装置６の下方の空間を広く使え、特に、カラン吐水部２ａ側の吐水空間が広く且つ見やすくなり、操作部４を上方に押し上げてカラン吐水部２ａから吐水させ、このカラン吐水部２ａから吐水される湯水を使用する際に操作部４が邪魔にならならず、カラン吐水部２ａの使用が便利となる。
【００９４】
もちろん、操作部４を複数も受けた本発明の湯水混合水栓装置６において、１１に示す実施形態のように、各操作部４を下方に最大に押し下げた位置（最下端位置）がいずれも全開位置Ａで、各操作部４を最大に押し上げた位置（最上端位置）がいずれも閉位置Ｂとしてもよいものである。この場合は、例えば、閉位置Ｂがほぼ水平となっていてほぼ水平姿勢のダミー操作部３３と面一又はほぼ面一となっていると、湯水混合水栓装置６の上方の空間に操作部４が突出せず、この部分を操作部４に邪魔されず、別の用途に使用したり、広い空間として利用できる。
【００９５】
図１２乃至図１６、図１７乃至図２２、図２３、図２４にはそれぞれ本発明の他の実施形態が示してある。これらの実施形態においては、カウンター本体４０の下面部に前述の湯水混合水栓装置６を配設して取付けた湯水混合水栓装置付きカウンター４１が示してある。図１２乃至図１６の実施形態、図２３の実施形態は、吐水部２を１つ、弁手段７を１つ、レバーハンドル３を１つ備えた湯水混合水栓装置６をカウンター本体４０の下面部に沿って配設して取付けた例であり、また、図１７乃至図２２の実施形態、図２４の実施形態は複数の吐水部２と、複数の弁手段７と、各弁手段７をそれぞれ独立して開閉操作するための複数のレバーハンドル３とを備えた湯水混合水栓装置６をカウンター本体４０の下面部に沿って配設して取付けた例である。
【００９６】
また、図１７乃至図２２に示す本実施形態における湯水混合水栓装置６の左側面図は前述の図１２乃至図１６に示す実施形態の図１６と同様である。また、図２１、図２２の実施形態において用いる湯水混合水栓装置６の前方から見た斜視図及び背方から見た斜視図である。
【００９７】
これら図１２乃至図１６、図１７乃至図２２、図２３、図２４に示す湯水混合水栓装置付きカウンター４１においては、湯水混合水栓装置６の大部分はカウンター本体４０の下面側に沿って配設されることでカウンター本体４０により隠されるようになっているが、湯水混合水栓装置６のレバーハンドル３の操作部４、ダミー操作部３３、湯温調整用レバーハンドル１８の湯温調整用の操作部１９がカウンター本体４０の前端から前方に突出している。そして、略平板状をしたレバーハンドル３各操作部４が閉位置に位置し、湯温調整用レバーハンドル１８の湯温調整用の操作部１９が略４０℃の位置となって、レバーハンドル３の操作部４の上面とダミー操作部３３の上面と、湯温調整用レバーハンドル１８の湯温調整用の操作部１９の上面とが面一となっている状態では操作部４、ダミー操作部３３、湯温調整用の操作部１９が全体として一連の板状物のような外観となり、図１２（ａ）、図１７（ａ）、図２３（ａ）、図２４（ａ）のように、板状のカウンター本体４０の前端部の下端縁から前方に全体として一連の板状物（操作部）が突出している外観となり、統一感があり、外観がよくなる。
【００９８】
図１２、図１７に示す実施形態においては、カウンター本体４０の下面部に前述の湯水混合水栓装置６を配設して取付けた湯水混合水栓装置付きカウンター４１において、操作部４は、下方に最大に押し下げた位置（最下端位置）が閉位置Ｂで、操作部４を最大に押し上げた位置（最上端位置）が全開位置Ａとしてあるが、図２３、図２４に示す実施形態のように操作部４を下方に最大に押し下げた位置（最下端位置）が全開位置Ａで、各操作部４を最大に押し上げた位置（最上端位置）が閉位置Ｂとしてもよいものである。
【００９９】
なお、上記した各実施形態においては、ダミー操作部３３を設けた例を示したが、ダミー操作部３３を設けないものであってもよい。
【０１００】
また、上記した各実施形態では２つの吐水部２のうち一方をカラン吐水部２ａ、他方をシャワー吐水部２ｂとした例を示したが、両方ともカラン吐水部２ａであってもよい。
【０１０１】
また、上記各実施形態では、２つの吐水部２からの吐水及び止水をそれぞれ独立して行うための２つの弁手段７と、該２つの弁手段７をそれぞれ独立して開閉操作するための２つのレバーハンドル３とを備えた湯水混合水栓装置６の例で説明したが、吐水部２が３つ以上、弁手段７が３つ以上、レバーハンドル３が３つ以上であってもよい。
【図面の簡単な説明】
【０１０２】
【図１】本発明の一実施形態を示す斜視図であり、（ａ）は各操作部が閉位置で、且つ、湯温調整用の操作部が略４０℃の位置となっている状態を示す斜視図であり、（ｂ）は一方の操作部が閉位置で他方の操作部が全開位置で、且つ、湯温調整用の操作部が略４０℃の位置となっている状態を示す斜視図である。
【図２】同上の平面断面図である。
【図３】同上の縦断面図である。
【図４】同上の右側図である。
【図５】同上の左側面図である。
【図６】本発明の他の実施形態を示す斜視図であり、（ａ）は各操作部が閉位置で、且つ、湯温調整用の操作部が略４０℃の位置となっている状態を示す斜視図であり、（ｂ）は一方の操作部が閉位置で他方の操作部が全開位置で、且つ、湯温調整用の操作部が略４０℃の位置となっている状態を示す斜視図である。
【図７】本発明の更に他の実施形態を示す斜視図であり、（ａ）は各操作部が閉位置で、且つ、湯温調整用の操作部が略４０℃の位置となっている状態を示す斜視図であり、（ｂ）は一方の操作部が閉位置で他方の操作部が全開位置で、且つ、湯温調整用の操作部が略４０℃の位置となっている状態を示す斜視図であり、（ｃ）は他方の操作部が閉位置で一方の操作部が全開位置で、且つ、湯温調整用の操作部が略４０℃の位置となっている状態を示す斜視図であり、（ｄ）は各操作部が全開位置で、且つ、湯温調整用の操作部が略４０℃の位置となっている状態を示す斜視図である。
【図８】同上の平面断面図である。
【図９】同上の縦断面図である。
【図１０】同上の右側図である。
【図１１】本発明の更に他の実施形態を示す斜視図であり、（ａ）は各操作部が閉位置で、且つ、湯温調整用の操作部が略４０℃の位置となっている状態を示す斜視図であり、（ｂ）は一方の操作部が閉位置で他方の操作部が全開位置で、且つ、湯温調整用の操作部が略４０℃の位置となっている状態を示す斜視図であり、（ｃ）は他方の操作部が閉位置で一方の操作部が全開位置で、且つ、湯温調整用の操作部が略４０℃の位置となっている状態を示す斜視図であり、（ｄ）は各操作部が全開位置で、且つ、湯温調整用の操作部が略４０℃の位置となっている状態を示す斜視図である。
【図１２】本発明の湯水混合水栓装置を付設したカウンターの斜視図であり、（ａ）は各操作部が閉位置で、且つ、湯温調整用の操作部が略４０℃の位置となっている状態を示す斜視図であり、（ｂ）は一方の操作部が閉位置で他方の操作部が全開位置で、且つ、湯温調整用の操作部が略４０℃の位置となっている状態を示す斜視図である。
【図１３】同上の平面断面図である。
【図１４】同上の縦断面図である。
【図１５】同上の右側面図である。
【図１６】同上の左側面図である。
【図１７】本発明の湯水混合水栓装置を付設したカウンターの他の実施形態を示す斜視図であり、（ａ）は各操作部が閉位置で、且つ、湯温調整用の操作部が略４０℃の位置となっている状態を示す斜視図であり、（ｂ）は一方の操作部が閉位置で他方の操作部が全開位置で、且つ、湯温調整用の操作部が略４０℃の位置となっている状態を示す斜視図であり、（ｃ）は他方の操作部が閉位置で一方の操作部が全開位置で、且つ、湯温調整用の操作部が略４０℃の位置となっている状態を示す斜視図であり、（ｄ）は各操作部が全開位置で、且つ、湯温調整用の操作部が略４０℃の位置となっている状態を示す斜視図である。
【図１８】同上の平面断面図である。
【図１９】同上の縦断面図である。
【図２０】同上の右側面図である。
【図２１】同上に用いる湯水混合水栓装置の前方から見た斜視図である。
【図２２】同上に用いる湯水混合水栓装置の背方から見た斜視図である。
【図２３】本発明の湯水混合水栓装置を付設したカウンターの更に他の実施形態を示す斜視図である。
【図２４】本発明の湯水混合水栓装置を付設したカウンターの更に他の実施形態を示す斜視図である。
【符号の説明】
【０１０３】
１  湯水混合部
２  吐水部
３  レバーハンドル
４  操作部
４ａ  押し下げ用操作部
４ｂ  押し上げ用操作部
５  湯温調整操作部
６  湯水混合水栓装置
７  弁手段
２３  回動弁
【図１】
0005139761.tif 000002
【図２】
0005139761.tif 000003
【図３】
0005139761.tif 000004
【図４】
0005139761.tif 000005
【図５】
0005139761.tif 000006
【図６】
0005139761.tif 000007
【図７】
0005139761.tif 000008
【図８】
0005139761.tif 000009
【図９】
0005139761.tif 000010
【図１０】
0005139761.tif 000011
【図１１】
0005139761.tif 000012
【図１２】
0005139761.tif 000013
【図１３】
0005139761.tif 000014
【図１４】
0005139761.tif 000015
【図１５】
0005139761.tif 000016
【図１６】
0005139761.tif 000017
【図１７】
0005139761.tif 000018
【図１８】
0005139761.tif 000019
【図１９】
0005139761.tif 000020
【図２０】
0005139761.tif 000021
【図２１】
0005139761.tif 000022
【図２２】
0005139761.tif 000023
【図２３】
0005139761.tif 000024
【図２４】
0005139761.tif 000025